(57)【要約】  【課題】既存什器の種々のモジュールに共通の棚板本体や横架材を用いて好適に適用できるようにした新規有用な発光棚装置を提供する。  【解決手段】導光板２１を有した棚板本体２と、この棚板本体２の後端２ａに沿って設けた横架材３と、この横架材３の内部に収容されて前記棚板本体２に光を導入する照明具４とを具備し、横架材３及び棚板本体２をブラケット５を介して什器本体１に支持させて構成する。そしてその際、前記横架材３を、長手方向の両端側に位置しブラケット５による支持位置が所定範囲で変更可能な端部領域Ｘと、これら両端部領域Ｘ間に位置し当該端部領域Ｘよりも相対的に内外寸法の大きい中間領域Ｙとから構成して、中間領域Ｙを経て両端部領域Ｘ間に亘り棚板本体２の後端２ａに臨むスリット３１ａを有する発光体収容空間Ｓ１を形成し、中間領域Ｙに補助空間Ｓ２を形成することとした。  【選択図】図２
2005137729.tif 000002
【特許請求の範囲】
【請求項１】
導光板を有した棚板本体と、この棚板本体の後端に沿って設けた横架材と、この横架材の内部に収容されて前記棚板本体に光を導入する照明具とを具備し、横架材及び棚板本体をブラケットを介して什器本体に支持させるようにしたものにおいて、
前記横架材を、長手方向の両端側に位置しブラケットによる支持位置が所定範囲で変更可能な端部領域と、これら両端部領域間に位置し当該端部領域よりも相対的に内外寸法の大きい中間領域とから構成して、中間領域を経て両端部領域間に亘り棚板本体の後端に臨むスリットを有する発光体収容空間を形成し、中間領域に補助空間を形成したことを特徴とする発光棚装置。
【請求項２】
それぞれモジュールが異なる複数の什器本体のうち、所定モジュールの什器本体に対して棚板本体及び横架材が両端をブラケットに支持されるように構成し、それよりも小さいモジュールの什器本体に対して、棚板本体及び横架材の端部よりも内側をブラケットに支持させ、ブラケットの外側方にそれらの端部を延出させて配置し得るようにした請求項１記載の発光棚装置。
【請求項３】
ブラケットの上端に棚載置面を設け、この棚載置面の後方に横架材を載置する横架材載置面を設けて、横架材をブラケットの横架材載置面を利用して位置決め固定し、その横架材を利用して棚板本体を位置決め固定するようにしている請求項１又は２記載の発光棚装置。
【請求項４】
横架材載置面が、棚載置面の後方位置に設けた凹所内に形成されている請求項３記載の発光棚装置。
【請求項５】
所定モジュールの什器本体に対して横架材の端部をブラケットの内面に当接ないし近接する部位に配置するとともに、一端を横架材の内面に密接に挿入し他端をブラケットの上向き面に載荷させた取付具を介して棚板本体をブラケットに取り付けるようにしている請求項３又は４記載の発光棚装置。
【請求項６】
棚板本体の後端を横架材の発光体収容空間に挿入し、その位置で抜け止め機構を介して棚板本体を横架材に保持させている請求項３〜５記載の発光棚装置。
【請求項７】
発光体収容空間を開閉する位置に蓋を設けている請求項１〜６記載の発光棚装置。
【請求項８】
蓋はスリットを拡開させる位置から開くものであり、蓋を開いた状態で棚板本体の後端を発光体収容空間に対して挿脱させ得るようにしている請求項７記載の発光棚装置。
【請求項９】
棚板本体を挿入した後に蓋を閉止することによって、棚板本体のスリットからの抜脱を禁止する抜け止め機構を棚板本体と蓋との間に形成している請求項８記載の発光棚装置。
【請求項１０】
横架材を、発光体収容空間を形成する第１部材と、補助空間を形成する第２部材とを係合させることによって構成している請求項１〜９記載の発光棚装置。
【請求項１１】
第１部材及び第２部材が、それぞれ長手方向に沿って等断面形状を有するものであり、これらを長手方向に沿って直接又は間接に係合させている請求項１０記載の発光棚装置。
【発明の詳細な説明】
【技術分野】
【０００１】
本発明は、化粧品等を始めとして種々の物品を棚面全体から照明する上で有用となる発光棚装置に関するものである。
【背景技術】
【０００２】
この種の発光棚装置として、例えば特許文献１に示されるように、導光板を有した棚板本体と、この棚板本体の後端に沿って設けた横架材と、この横架材の内部に収容されて前記棚板本体に光を導入する照明具とを具備し、横架材及び棚板本体の左右両端をブラケットを介して什器本体に支持させるようにしたものが知られている。
【特許文献１】実開平６−３８１１７号公報
【発明の開示】
【発明が解決しようとする課題】
【０００３】
しかしながら、このような棚板本体及び横架材の取付構造は、什器本体に対するブラケットの取付ピッチが異なる毎に、巾や長さの異なる棚板本体や横架材を用意しなければならない。したがって、既存什器のモジュール違いに適用するに際して、部品点数や作業工数を削減することが難しく、コストダウンが図れないという難点がある。したがって、陳列レイアウトの組み替えの自由度も小さいものである。
【０００４】
そこで、棚板本体や横架材を所定モジュール巾に対応させておき、所定モジュールのときに棚板本体や横架材の端部をブラケットを介して什器本体に取り付け、モジュール巾が小さいときに棚板本体や横架材の端部よりも内側をブラケットを介して什器本体に支持させるように構成して、棚板本体や横架材に共通のものを使用してモジュール違いに対応できるようにすることが一つの有効な手立てとして考えられる。
【０００５】
しかしながら、特にこの種の発光棚装置は、照明具に発光体や安定器を備えるのが通例であり、これらに基づいて通常押出成型や板金成形により構成される横架材の内寸を規定すると、横架材全体の大型化を招く。
【０００６】
そして、棚板本体の後方にこのような奥行きや丈の大きい横架材を共にブラケットに支持させて配置しようとすると、横架材が棚板本体と什器本体の間に大きく介在することにより棚板本体の有効棚面積が犠牲になったり、横架材の奥行きや丈が大きいために適切な配置場所をブラケット上に確保できなくなる等、種々の不具合を招く上に、モジュールが小さいときに奥行きや丈の大きい横架材がブラケットの外側方に突出して見苦しくなり、この種の発光棚装置に要求される独特の陳列効果も毀損されるおそれがある。よって、結果的に陳列レイアウトの組み替えの自由度を有効に高める手立てとはなり得ない。
【０００７】
本発明は、このような課題に着目してなされたものであって、既存什器の種々のモジュールに共通の棚板本体や横架材を用いて好適に対応できるようにした新規有用な発光棚装置を提供することを目的としている。
【課題を解決するための手段】
【０００８】
本発明は、かかる目的を達成するために、次のような手段を講じたものである。
【０００９】
すなわち、本発明の発光棚装置は、導光板を有した棚板本体と、この棚板本体の後端に沿って設けた横架材と、この横架材の内部に収容されて前記棚板本体に光を導入する照明具とを具備し、横架材及び棚板本体をブラケットを介して什器本体に支持させるようにしたものである。そして、前記横架材を、長手方向の両端側に位置しブラケットによる支持位置が所定範囲で変更可能な端部領域と、これら両端部領域間に位置し当該端部領域よりも相対的に内外寸法の大きい中間領域とから構成して、中間領域を経て両端部領域間に亘り棚板本体の後端に臨むスリットを有する発光体収容空間を形成し、中間領域に補助空間を形成したものである。
【００１０】
発光体収容空間に照明具を構成する発光体を配置すれば、その光をスリットを介して棚板本体の後端から導光板に導くことができる。
【００１１】
このようにすれば、照明具の構成要素のうち、棚板本体の略全巾に亘って存在することが要求される発光体は発光体収容空間に配置することができ、一部に付帯して存在すれば足りる安定器等は中間領域に配置することができるので、横架材に必要な収納機能を損なうことなくその端部領域のスリム化を図ることができる。そして、端部領域のブラケットへの支持位置を適宜変更することで、モジュール違いであっても共通の棚板本体や横架材を什器本体に有効に取り付けることが可能となる。
【００１２】
しかも、什器のモジュールが小さくなっても、端部領域及び中間領域からなる横架材は、奥行きや丈が小さい端部領域のみがブラケットに支持され、奥行きや丈が大きい中間領域が取り付けに関与することはない。このため、棚板本体の後方所定位置に横架材を配置しても、横架材が太いがために生じる不具合、すなわち横架材が棚板本体と什器本体との間に大きく介在することにより棚板本体の有効棚面積が犠牲になったり、横架材の奥行きや丈が大きいために適切な配置場所をブラケット上に確保することが難しくなる等の不具合を有効に解消することができ、また、モジュールが小さいときにブラケットの外側方に突出する横架材の奥行きや丈を極力小さくして、外観の毀損を招く事態を極力回避することが可能となる。そして、これらを通じて陳列レイアウトの自由度も有効に高めることが可能となる。
【００１３】
什器のモジュール違いに対応するための具体的な実施の態様としては、それぞれモジュールが異なる複数の什器本体のうち、所定モジュールの什器本体に対して棚板本体及び横架材が両端をブラケットに支持されるように構成し、それよりも小さいモジュールの什器本体に対して、棚板本体及び横架材の端部よりも内側をブラケットに支持させ、ブラケットの外側方にそれらの端部を延出させて配置し得るように構成しておくのが好適である。
【００１４】
横架材及び棚板本体を簡単且つ適切に位置決め固定するためには、ブラケットの上端に棚載置面を設け、この棚載置面の後方に横架材を載置する横架材載置面を設けて、横架材をブラケットの横架材載置面を利用して位置決め固定し、その横架材を利用して棚板本体を位置決め固定するようにしているものが挙げられる。
【００１５】
特に、横架材載置面は、棚載置面の後方位置に設けた凹所内に形成しておくことが位置決めの観点から簡単かつ効果的である。
【００１６】
棚板を優先的にブラケットに支持させ、横架材は極力目立たないように取り付けるためには、所定モジュールの什器本体に対して横架材の端部をブラケットの内面に当接ないし近接する部位に配置するとともに、一端を横架材の内面に密接に挿入し他端をブラケットの上向き面に載荷させた取付具を介して棚板本体をブラケットに取り付けるようにしておくことが望ましい。
【００１７】
棚板本体を横架材に位置決め固定するための具体的な態様としては、棚板本体の後端を横架材の発光体収容空間に挿入し、その位置で抜け止め機構を介して棚板本体を横架材に保持させておくことが有効である。
【００１８】
発光体の取替えを始めとして各種メンテナンスに便ならしめるためには、発光体収容空間を開閉する位置に蓋を設けておくことが望ましい。
【００１９】
このような蓋構造を利用して、棚板本体と発光体とを適切な位置関係下に配置するためには、蓋がスリットを拡開させる位置から開くようにし、蓋を開いた状態で棚板本体の後端を発光体収容空間に対して挿脱させ得るようにしておくことが望ましい。
【００２０】
かかる位置関係を適切に保つためには、棚板本体を挿入した後に蓋を閉止することによって、棚板本体のスリットからの抜脱を禁止する抜け止め機構を棚板本体と蓋との間に形成しておくことが効果的である。
【００２１】
横架材の部材構成としては、発光体収容空間を形成する第１部材と、補助空間を形成する第２部材とを係合させることによって構成しておくことが有効であり、とりわけ、第１部材及び第２部材を、それぞれ長手方向に沿って等断面形状を有するものとし、これらを長手方向に沿って直接又は間接に係合させるようにすれば、これらの部材に押し出し材や曲げ物を有効に用いることができる。
【発明の効果】
【００２２】
本発明は、以上のようにして、既存什器の種々のモジュールに共通の棚板本体や横架材を用いて好適に適用できるようにした新規有用な発光棚装置を提供することができる。
【発明を実施するための最良の形態】
【００２３】
以下、本発明の一実施形態を、図面を参照して説明する。
【００２４】
この実施形態の発光棚装置Ｚは、図１及び図２に示すように、自立性を有した什器本体１に発光機能のある棚板本体２を取り付けて構成されるもので、棚板本体２と、この棚板本体２の後端２ａに沿って設けた横架材３と、この横架材３の内部に収容されて前記棚板本体２に光を導入する照明具４とを具備し、横架材３及び棚板本体２をブラケット５を介して什器本体１に支持させるようにしたものである。以下、具体的に説明する。
【００２５】
什器本体１は、一対の支柱１１、ベース１２及び上下の枠材１３を具備している。
【００２６】
支柱１１は、長手方向に所定ピッチでフック孔１１ａを開口させてなるもので、左右の支柱１１はフック孔１１ａの位置が整合しており、下端部間及び上端部間が上下の枠材１３によって接合されている。
【００２７】
ベース１２は、左右の支柱１１の下端に接合され、長手方向を上下の枠材１３と直交する方向に延出させてなるもので、延出端にそれぞれキャスタが取り付けられている。
【００２８】
この什器本体１には、予めいくつかのモジュールが用意されている。例えば、図３の什器本体１は左右の支柱１１のピッチＰ１が９００ｍｍのモジュールであり、図４の什器本体１は左右の支柱１１のピッチＰ２が６００ｍｍのモジュールである。
【００２９】
本実施形態における棚板本体２の巾寸法Ｗは図１に示すように什器本体１の所定モジュールである９００ｍｍに略対応しており、奥行きＤは２１０ｍｍに設定されている。この棚板本体２は、図５（Ａ）〜（Ｃ）に模式的に示す導光板２１を主体として構成されている。同図（ａ）は導光板２１の斜視図であり、（ｂ）はそのＡ−Ａ線拡大断面図、（ｃ）はそのＢ−Ｂ線拡大断面図である。導光板２１は、透光性を有するアクリル板２１ａと、アクリル板２１ａの下面に設けた反射板２１ｂと、アクリル板２１ａの上面に設けた透明の保護シート２１ｃとを具備するもので、アクリル板２１ａの上面に短手方向に所定間隔でＶ字溝２１ａ１が設けてあり、このＶ字溝２１ａ１が光りを拡散させる作用をなす。すなわち、アクリル板２１ａの後端に光が導入されると、光はアクリル板２１ａの板厚内を前端に向かって直進する。この間、反射板２１ｂにおいて反射した一部の光は、アクリル板２１ａを通過し、アクリル板２１ａから抜け出る際にＶ字溝２１ａ１の拡散作用で棚板本体２の上面に光を拡散させる。よって、この実施形態は棚板本体２の上面に載置された物品を下から照明する機能を有する。
【００３０】
勿論、Ｖ字溝２１ａ１及び保護シート２１ｃをアクリル板２１ａの下面側に設け、アクリル板２１ａの上面に反射板２１ｂを設けて導光板２１を構成してもよい。この場合は、下段側の棚板本体２に載置される物品を上段側の棚板本体２の下面から放出される光によって照明することになる。又は、これらを組み合わせれば、１つの棚板本体２の上下両面から光を導出する構造も容易に採用することができる。
【００３１】
なお、この棚板本体２の後端２ａ側における左右両端近傍には、図２に示すように、肉厚方向に貫通する掛止孔２１が設けてある。
【００３２】
横架材３は、図１、図２、図６及び図７等に示すように、押し出し材よりなる中空体状の第１部材３１及び第２部材３２をジョイント材３３を介して上下に接合したもので、第１部材３１は横架材３の長手方向略全域に亘り、第２部材３２は横架材３の中央部に位置する。両部材３１，３２の丈寸法ｈ１、ｈ２（図６（ａ）参照）は略同一、奥行き寸法ｄ１、ｄ２も略同一に設定されており、接合後の横架材３の外形寸法は、奥行き寸法が前記各部材１，２の奥行き寸法ｄ１、ｄ２と変わらないのに対して、丈寸法は、下に述べる中間領域Ｙにおいてこれら両部材３１，３２及びジョイント材３３の丈寸法ｈ１、ｈ２、ｈ３法を加算した値となる。すなわち、横架材３は、長手方向の両端側に位置する端部領域Ｘにおいては第１部材１の丈寸法ｈ１に等しく、中央に位置する中間領域Ｙにおいては両部材３１，３２及びジョイント材３３の丈寸法ｈ１、ｈ２、ｈ３法を加算した値となる。そして、前記端部領域Ｘが形成された範囲において、ブラケット５による支持位置を巾方向に沿って選択できるようにしている。この実施形態では、図２に示すように、第１部材３１の長手寸法Ｌ１が略９００ｍｍ、第２部材３２の長手寸法Ｌ２が略５００ｍｍに設定してあり、従って中間領域Ｙが５００ｍｍ、端部領域Ｘが各々２００ｍｍとなり、２００ｍｍの間でブラケット５に対する取り付け位置が可変となる。前述した異なるモジュールの２つの什器本体１は、それぞれ支柱１１のピッチＰ１、Ｐ２が９００ｍｍ、６００ｍｍであったことから（図３、図４参照）、前者の場合は横架材３の端部３ｘ近傍をブラケット５に支持させ、後者の場合は横架材３の端部３ｘから略１５０ｍｍ内側に入った位置を支持させることになる。
【００３３】
前記第１部材３１内は、図６及び図７に示すように、発光体収容空間Ｓ１として設定されており、アパーチャ管等の発光体４１を差し込む電極を供えたコネクタＣを所定距離を隔てて対向配置している。この第１部材３１は、部材本体の頂壁の一部が、後端側に形成したヒンジＨを介して開閉可能な蓋３１ｂとされ、開放することによって発光体４１の着脱を行い得るものである。図８において符号ｓｔで示すものは発光体４１を取り出すときに利用する発光体取り出しシートであり、一端を第１部材３１内に固定され、途中を発光体４１の端部とコネクタＣとの間に介在させて、他端を上方に引き出したものである。このため、このシートｓｔを引くと、発光体４１が一方のコネクタＣから離れて、上方に引き出すことができる。勿論、このとき他方のコネクタＣが退避して、これによりコネクタＣ、Ｃ間の距離が一時的に広がる構造を有することが前提である。
【００３４】
発光体収容空間Ｓ１は、前述したように第１部材３１に設けた蓋３１ｂによって開閉可能とされたもので、第１部材３１には、図２及び図６に示すように蓋３１ｂを閉じた状態で略全巾に亘り前記発光体収容空間Ｓ１を棚板本体２側に開放するスリット３１ａが形成されている。
【００３５】
また、前記第２部材２内は、図６等に示すように、補助空間Ｓ２として設定されている。この補助空間Ｓ２には、照明具４を構成するインバータ等の安定器４２を収容するために必要な内寸が確保されている。
【００３６】
照明具４がアパーチャ管等の発光体４１とインバータなどの安定器４２とを少なくとも備えてのは上記の通りであるが、これ以外の部品等を備える場合には、補助空間Ｓ２内に収容するようにする。
【００３７】
発光体４１は、横架材３の発光体収容空間Ｓ１に配置したコネクタＣ、Ｃ間に挿脱される。蓋３１ｂを開けて発光体４１を挿入し、蓋３１ｂを閉じると、発光体４１は図６に示すように前記第１部材３１のスリット３１ａに臨む部位に位置づけられる。発光体４１と安定器４２は、図示しない結線を通じて接続され、安定器４２を介して発光体４１にゆらぎのない安定した給電がなされる。
【００３８】
ブラケット５は、図２、図７及び図９に示すように、板状のブラケット本体５１の後端側に、支柱１１のフック孔１１ａに係合させ得る係合爪５２を突出させて設けたもので、支柱１１に取り付けた状態でブラケット本体５１を支柱１１から前方に突出させるようにしている。そして、このブラケット本体５１の突出端側の上端に棚載置面５１ａを設け、この棚載置面５１ａの後方、すなわちブラケット５の基端側の上端に横架材３を載置する横架材載置面５１ｂを設けている。横架材載置面５１ｂは、棚載置面５１ａの後方位置に窪ませて設けた凹所５１ｃ内に形成されており、凹所５１ｃの前後寸法は前記横架材３の前後寸法に略対応し、深さは前記横架材３の端部領域Ｘを構成する第１部材３１の一部を挿入する寸法に設定されている。
【００３９】
前述したように、この実施形態において発光棚装置Ｚが適用される什器本体１には、モジュールの異なる２つのタイプが存在し、所定モジュールの什器本体１に対してはブラケット５を介して図３に示すように棚板本体２及び横架材３の端部２ｘ、３ｘを支柱１１に支持させ、それよりも小さいモジュールの什器本体１に対してはブラケット５を介して図４に示すように棚板本体２及び横架材３の端部２ｘ、３ｘよりも内側を支柱１１に支持させ、このとき棚板本体２及び横架材３の端部２ｘ、３ｘを外側方にそれそれぞれ延出させて配置するものであるが、何れの場合にも什器本体１を隣接したときに棚板本体２の端部２ｘ同士が密接ないし近接して連続される。
【００４０】
ここで、支柱間ピッチがＰ１である所定モジュールの什器本体１に対して横架材３及び棚板本体２を取り付ける様子を図７の実線に基づいて説明する。この場合、横架材３の端部３ｘを支柱１１に掛止させたブラケット５の内面に当接ないし近接する部位に位置づけ、取付具５３を介して横架材３をブラケット５に取り付ける。取付具５３は、波状の水平部５３ａに鉛直部５３ｂを連続させた正面視アングル状のもので、水平部５３ａを前記横架材３を構成する第１部材３１の内空に密接に挿入し、鉛直部５３ｂをブラケット５の上端に形成した凹所５１ｃを超えた位置に引っ掛けるようにしたもので、巾方向に沿って横架材３がブラケット５から脱落することを防止する。取付具５３が凹所５１ｃに係合し且つこの凹所５１ｃの後端側が支柱１１で閉塞されることによって横架材３の前後方向が規制されるので、これにより横架材３は前後左右に位置決めされる。棚板本体２は、この横架材３の前方において棚載置面５１ａに載置される。
【００４１】
また、支柱間ピッチがＰ２であるモジュールの小さい什器本体１に対して横架材３及び棚板本体２を取り付ける様子を図７の想像線等に基づいて説明する。この場合、横架材３の端部３ｘを支柱１１に掛止させたブラケット５から外側方へ突出する部位に位置づけ、ピン５４を介して横架材３をブラケット５に位置決めする。ピン５４は、ブラケット５を越えた位置において横架材３を構成する第１部材３１の底壁に下方から止着されるもので、巾方向に沿って横架材３がブラケット５に対して位置ずれすることを防止する。端部領域Ｘに対応する第１部材３１の下端側の一部が凹所５１ｃに係合し且つこの凹所５１ｃの後端側が支柱１１で閉塞されることによって横架材３の前後方向が規制されるので、これにより横架材３は前後左右に位置決めされる。この場合も、棚板本体２は前記横架材３の前方において棚載置面５１ａに載置される。
【００４２】
そして、何れの場合にも、横架材３を利用しその蓋３１ｂの開閉を通じて、前方に棚板本体２を位置決め固定するようにしている。蓋３１ｂは図６（ａ）、（ｂ）に示すように、スリット３１ａを拡開させる位置から開くものであり、蓋３１ｂを開いた状態で棚板本体２の後端２ａを発光体収容空間Ｓ１に対して挿脱させ得るものである。そして、棚板本体２の後端２ａを横架材３の発光体収容空間Ｓ１に挿入し、蓋３１ｂを閉止することによって、棚板本体２のスリット３１ａからの抜脱を禁止する抜け止め機構Ｍを、棚板本体２と蓋３１ｂとの間に形成している。この抜け止め機構Ｍは、前記棚板本体２の後端２ａ側における左右両端近傍に設けた掛止孔２１に打ち込んで起立させたピン２２と、棚板本体２の後端２ａ側を第１部材３１内に挿入して蓋３１ｂを閉めた際に前記ピン２２と係り合うように蓋３１ｂの一部に設けた係合凹部ｍとから構成されている。
【００４３】
以上のように、本実施形態の発光棚装置Ｚは、導光板２１を有する棚板本体２から均一な発光を得るように構成しており、しかも発光体４１が棚板本体２から離間した位置にあって棚板本体２の表面が蓄熱しないので、棚表面に陳列する化粧品等の商品に対する有効な視覚的効果が得られると同時に、商品の変質等も有効に回避することができるものである。
【００４４】
そして、本実施形態は、導光板２１を有した棚板本体２と、この棚板本体２の後端２ａに沿って設けた横架材３と、この横架材３の内部に収容されて前記棚板本体２に光を導入する照明具４とを具備し、横架材３及び棚板本体２をブラケット５を介して什器本体１に支持させて発光棚装置Ｚを構成するものであり、その際に前記横架材３を、長手方向の両端側に位置しブラケット５による支持位置が所定範囲で変更可能な端部領域Ｘと、これら両端部領域Ｘ間に位置し当該端部領域Ｘよりも相対的に内外寸法の大きい中間領域Ｙとから構成して、中間領域Ｙを経て両端部領域Ｘ間に亘り棚板本体２の後端２ａに臨むスリット３１ａを有する発光体収容空間Ｓ１を形成し、中間領域Ｙに補助空間Ｓ２を形成したものである。
【００４５】
このようにして、照明具４の構成要素のうち、棚板本体２の略全巾に亘って存在することが要求される発光体４１は発光体収容空間Ｓ１に配置することができ、一部に付帯して存在すれば足りる安定器４２等は中間領域Ｙに配置することができるので、横架材３に必要な収納機能を損なうことなく端部領域Ｘのスリム化を図ることができる。そして、端部領域Ｘのブラケット５への支持位置を適宜変更することで、モジュール違いであっても共通の棚板本体２や横架材３を什器本体１に有効に取り付けることができるようになる。
【００４６】
しかも、什器本体１のモジュールが小さくなっても、端部領域Ｘ及び中間領域Ｙからなる横架材３は、奥行きや丈の小さい端部領域Ｘのみが依然としてブラケット５に支持され、奥行きや丈が大きい中間領域Ｙは取り付けに関与しないため、横架材３を棚板本体２の後方所定位置に配置しても横架材３が棚板本体２と什器本体１との間に大きく介在して棚板本体２の有効棚面積を犠牲にしたり、或いは横架材３の丈が大きいために適切な配置場所をブラケット５上に確保できなくなる等の不都合が生じるようなこともない。その上、モジュールが小さいときにブラケット５の外側方に突出する横架材３の奥行きや丈が極力小さいものになるため、棚板本体２の存在感を前面に出してこの種の棚に特有の視覚的効果を有効に担保することができる。そして、これらを通じて陳列レイアウトの自由度も有効に高めることが可能となる。  勿論、上述した端部領域Ｘの範囲であれば、モジュールは図示例に限定されるものではない。
【００４７】
具体的な態様として、本実施形態は、それぞれモジュールが異なる２つの什器本体１のうち、所定モジュールの什器本体１に対しては棚板本体２及び横架材３の端部２ｘ、３ｘをブラケット５に支持されるように構成し、それよりも小さいモジュールの什器本体１に対しては棚板本体２及び横架材３の端部２ｘ、３ｘよりも内側をブラケット５に支持させ且つブラケット５の外側方にそれらの端部２ｘ、３ｘを延出させて配置し得るようにしているので、棚板本体２や横架材３を共用するという本発明の初期の目的を達成すると同時に、何れの場合にも図３や図４のように棚板本体２の連続性を確保して発光棚特有の効果を有効に高めることができる。
【００４８】
特に、ブラケット５の上端に棚載置面５１ａを設け、この棚載置面５１ａの後方に横架材３を載置する横架材載置面５１ｂを設けて、横架材３をブラケット５の横架材載置面５１ｂを利用して位置決め固定し、その横架材３を利用して棚板本体２を位置決め固定するようにしているため、横架材３及び棚板本体２の位置決めを簡単且つ適切に行うことができる。
【００４９】
その際、横架材載置面５１ｂが、棚載置面５１ａの後方位置に設けた凹所５１ｃ内に形成してあるため、凹所５１ｃの深さ次第で棚板本体２に対する発光体４１の位置決めを前後方向のみならず高さ方向にも的確に行うことができる。
【００５０】
また、本実施形態において、適用対象が図３及び図７に示す所定モジュールの什器本体１である場合に、横架材３の端部３ｘをブラケット５の内面に当接ないし近接する部位に配置するとともに、一端を横架材３の内面に密接に挿入し他端をブラケット５の上向き面に載荷させた取付具５３を介して棚板本体２をブラケット５に取り付けるようにしているため、棚板本体２を優先的にブラケット５に支持させて商品陳列に必要な強度を先ず確保し、横架材３は極力目立たないようにブラケット５の内側に適切に保持しておくことができる。
【００５１】
また、棚板本体２の後端２ａを横架材３の発光体収容空間Ｓ１に挿入し、その位置で抜け止め機構Ｍを介して棚板本体２を横架材３に保持させるようにしているので、棚板本体２に発光体４１から的確に導光されるように横架材３に対する棚板本体２の位置決め固定を簡単、確実に行うことができる。
【００５２】
特に、発光体収容空間Ｓ１を開閉する位置に蓋３１ｂを設けているため、発光棚装置Ｚを分解せずとも発光体４１の取替えを始めとする各種メンテナンスを容易に行うことができる。
【００５３】
また、このような蓋３１ｂを採用するに際し、蓋３１ｂがスリット３１ａを拡開させる位置から開くようにして、蓋３１ｂを開いた状態で棚板本体２の後端２ａを発光体収容空間Ｓ１に対して挿脱させ得るようにしているため、棚板本体２と発光体４１とを適切な位置関係下に配置する作業を極めて簡便に行うことができる。
【００５４】
そして、棚板本体２を挿入した後に蓋３１ｂを閉止することによって、棚板本体２のスリット３１ａからの抜脱を禁止する抜け止め機構Ｍを棚板本体２と蓋３１ｂとの間に形成しているため、棚板本体２と発光体４１との適正な位置関係を簡単な構造によって有効に保つことができる。
【００５５】
さらに、上記横架材３の部材構成として、発光体収容空間Ｓ１を形成する第１部材３１と、補助空間Ｓ２を形成する第２部材３２とを係合させることによって構成しているため、全体を一体成形する場合等に比べて個々の部材を簡易に構成でき、係合位置の変更にも容易に対応することができる。
【００５６】
とりわけ、第１部材３１及び第２部材３２を、それぞれ長手方向に沿って等断面形状を有するものとし、これらを長手方向に沿って係合させるようにしているため、押し出し材や曲げ物を利用して本実施形態の横架材３を容易に構成することができ、製造コストの削減等を図ることが可能となる。
【００５７】
なお、各部の具体的な構成は、上述した実施形態のみに限定されるものではなく、本発明の趣旨を逸脱しない範囲で種々変形が可能である。
【００５８】
例えば、什器本体は図示例のものに限らず、ブラケットが係合し得るフック孔（スリット）さえ備えていれば、例えば壁面什器や島型什器など他の什器にも簡単に本発明の発光棚装置を取り付けることが可能である。
【図面の簡単な説明】
【００５９】
【図１】本発明の一実施形態を什器本体に適用した状態で示す図。
【図２】図１の分解斜視図。
【図３】同実施形態の使用状態を示す模式的な正面図。
【図４】同実施形態の他の使用状態を示す模式的な正面図。
【図５】同実施形態に係る導光板の構成を示す概略的な説明図。
【図６】同実施形態に係る横架材の構成を示す拡大横断面図。
【図７】図６（ａ）におけるＡ−Ａ線部分断面図。
【図８】同実施形態に係る発光体の取付構造を説明する説明図。
【図９】同実施形態に係るブラケットの構成を示す構成説明図。
【符号の説明】
【００６０】
１…什器本体
２…棚板本体
２ａ…後端
２ｘ…端部
３…横架材
３ｘ…端部
４…照明具
５…ブラケット
２１…導光板
３１ａ…スリット
５１ａ…棚載置面
５１ｂ…横架材載置面
５１ｃ…凹所
５３…取付具
Ｍ…抜け止め機構
Ｓ１…発光体収容空間
Ｓ２…補助空間
Ｘ…端部領域
Ｙ…中間領域
【図１】
2005137729.tif 000003
【図２】
2005137729.tif 000004
【図３】
2005137729.tif 000005
【図４】
2005137729.tif 000006
【図５】
2005137729.tif 000007
【図６】
2005137729.tif 000008
【図７】
2005137729.tif 000009
【図８】
2005137729.tif 000010
【図９】
2005137729.tif 000011